(57)【要約】【課題】マルチビジョンシステムの中の何れかの光源が点灯しなくなったり、明るさが変化したときに、ある画面が消えたり、明るさ、色合いが変化して、画面間の輝度差、色度差が発生する。【解決手段】４個の光源１〜４の各光線束を無偏光ビームスプリッター１８ａ〜１８ｄによって均等に分割し、且つ、光源光の成分が均等に混ざり合う様に合成することで、各光源光の成分の１／４ずつを含んで成る４個のミキシング光源出力１７ａ〜１７ｄを生成し、４個のミキシング光源出力１７ａ〜１７ｅの各々を各画面の表示装置２０ａ〜２０ｄの光源として使用する。【選択図】図１
2008145735.tif 000002
【特許請求の範囲】
【請求項１】
画面を複数台組み合せて構成するマルチビジョンシステムにおいて、
複数の光源の各光を無偏光ビームスプリッターによって均等に分割し、更に前記複数の光源の各光の成分が均等に混ざり合う様に合成することで２のべき乗個のミキシング光源出力を生成した上で、前記２のべき乗個のミキシング光源出力の内で画面数分のミキシング光源出力の各々を各画面の表示装置の光源として使用することを特徴とする、
マルチビジョンシステム。
【請求項２】
画面を複数台組み合せて構成するマルチビジョンシステムにおいて、
４５°直線偏光又は円偏光の状態にある複数の光源の各光を、偏光ビームスプリッターと１／２波長板若しくは１／４波長板とを組み合せることで、均等に分割し且つ前記複数の光源の各光の成分が均等に混ざり合う様に合成して２のべき乗個のミキシング光源出力を生成した上で、前記２のべき乗個のミキシング光源出力の内で画面数分のミキシング光源出力の各々を各画面の表示装置の光源として使用することを特徴とする、
マルチビジョンシステム。
【請求項３】
請求項１又は２に記載のマルチビジョンシステムであって、
前記複数の光源の各々としてレーザーを使うことを特徴とする、
マルチビジョンシステム。
【請求項４】
複数の光源と、
各光源から出射された光を、当該光の強度が均等となるように分割して分割光を出射する分割手段と、
各光源に対応する前記分割光を合成して合成光を出射する合成手段とを備える映像表示装置。
【請求項５】
前記合成光が投写されることによって画像を表示する表示手段を更に備え、
前記表示手段には、前記光源の数と同数の画像が表示されることを特徴とする請求項４に記載の映像表示装置。
【請求項６】
複数の光源における各光源から出射された光を、当該光の強度が均等となるように分割して分割光を生成し、
各光源に対応する前記分割光を合成して合成光を生成し、
前記合成光を表示手段に投写して画像を表示することを含み、
前記表示手段には、前記光源の数と同数の画像が表示されることを特徴とする映像表示方法。
【発明の詳細な説明】
【技術分野】
【０００１】
本発明は、複数の画面で構成するマルチビジョンシステムにおいて、光源の明るさや色の変動によって生じる画面間の輝度差及び色度差の低減に関する。
【背景技術】
【０００２】
従来のマルチビジョンシステムは、各画面の表示装置ごとに光源を備えており、その中の１台若しくは複数台の光源が点灯しなくなった場合あるいは明るさや色が変化した場合に、画面間で輝度差や色度差が生じるという問題点があった。
【０００３】
この問題点の改善策として、１台の光源ランプの光をＲ，Ｇ，Ｂ各色に分光した上で、分光された光を光ファイバに入射して各色の光を３つの光に分割して各液晶プロジェクターに入射する従来技術が、提案されている（例えば、特許文献１参照。）。しかしながら、この従来技術では１台の光源ランプの光を分割して、各画面の光源として使用しているため、光源の明るさが変化したときに、画面間の輝度差が発生しないようにはできるが、光源ランプが点灯しなくなったときにはスクリーン上の画面が全て消えてしまうという問題点があった。
【０００４】
【特許文献１】特公平８−３０８５９号公報
【発明の開示】
【発明が解決しようとする課題】
【０００５】
解決しようとする問題点は、マルチビジョンシステムの中の１台若しくは複数台の光源が点灯しなくなったり、あるいは、明るさや色が変化したときに、マルチビジョンシステムのある画面が消えたり、あるいは、明るさや色が変化して、画面間の輝度差や色度差が発生する問題である。
【課題を解決するための手段】
【０００６】
この発明の主題の特徴点は、使用している複数台の光源の各々の光をほぼ均等に分割し、均等に混ざるように合成して成るミキシング光源を、各画面の表示装置の光源として使用する点にある。即ち、各光源からの光の均等分割及び均等分割された各光の合成によりミキシング光を形成することで、複数の光源を複数の平均化した光源にする。
【０００７】
以下、この発明の主題の様々な具体化を、添付図面を基に、その効果・利点と共に、詳述する。
【発明の効果】
【０００８】
本発明の主題によれば、何れかの光源が点灯しなくなった場合や、何れかの光源の明るさや色が変化した場合でも、全画面は消えることは無く、マルチビジョンの各画面の輝度及び色度が均等に変化し、画面間の輝度差及び色度差が発生しないと言う効果を奏する。
【発明を実施するための最良の形態】
【０００９】
（実施の形態１）
図１は、この発明の実施の形態１に係るマルチビジョンシステムの構成を模式的に示す図である。図１の一例は、４個の光源１〜４の光を各々４等分割して、均等に混ざり合わせて成る４個のミキシング光源を作り出し、これらのミキシング光源を４画面から成るマルチビジョンシステムの光源として使用する方法を示す。
【００１０】
ここで、本実施の形態を説明する前に、無偏光ビームスプリッターの作用、及び、無偏光ビームスプリッターを使ってミキシング光源を作り出す方法について説明する。図２は、無偏光ビームスプリッター１８の作用を説明するための図である。図２に示す様に、無偏光ビームスプリッター１８に入射した光源１の光線束は、その偏光状態に関わらず、無偏光ビームスプリッター面１９で、その約１／２が透過光１Ｔに、その約１／２が反射光１Ｒにほぼ均等な強度で分割される。これは、Ｐ偏光、Ｓ偏光共に、無偏光ビームスプリッター面１９で、均等に透過光成分と反射光成分とに分けられることによる。
【００１１】
又、別の方向から無偏光ビームスプリッター１８に入射した光源２の光線束も、ほぼ均等に、透過光２Ｔ及び反射光２Ｒに分割される。そして、透過光１Ｔと反射光２Ｒ及び反射光１Ｒと透過光２Ｔはそれぞれ同一光軸上に存在するので、無偏光ビームスプリッター１８の出力光は、透過光１Ｔと反射光２Ｒとが合成されて成るミキシング光源出力１７ｅと、反射光１Ｒと透過光２Ｔが合成されて成るミキシング光源出力１７ｆとになる。
【００１２】
以上の様に無偏光ビームスプリッター１８を使用することで、２個の別々の光源１、２から、それぞれ１／２ずつの光線束がミキシングして成る２個のミキシング光源出力１７ｅ、１７ｆを作り出すことができる。
【００１３】
しかも、ミキシング光源出力１７ｅ、１７ｆはそれぞれ同一光軸上の光である透過光１Ｔと反射光２Ｒ、及び、反射光１Ｒと透過光２Ｔを合成したものであるため、元の光源１、２と比べてミキシング光源出力１７ｅ、１７ｆのビームは広がっていない。従って、ミキシング光源出力１７ｅ、１７ｆを表示装置の光源として使用したときに利用効率が低下するという不具合は発生しない。
【００１４】
図１において、各光線が略平行化された第１光源１の光線束は無偏光ビームスプリッター１８ａに入射し、無偏光ビームスプリッター面１９ａで、光源１の光線束の偏光状態に関わらず、ほぼ均等の強度で、透過光１Ｔと反射光１Ｒとに分割される。
【００１５】
第１光源１の透過光１Ｔは、その後、無偏光ビームスプリッター１８ｂに入射し、同様に無偏光ビームスプリッター面１９ｂで、ほぼ均等の強度で、透過光１ＴＴと反射光１ＴＲとに分割される。他方、光源１の反射光１Ｒは、無偏光ビームスプリッター１８ｃに入射し、ほぼ均等の強度で、透過光１ＲＴと反射光１ＲＲとに分割される。以上の様にして、光源１から出射した光は、ほぼ均等な強度を持った４つの光（光源）１ＴＴ、１ＴＲ、１ＲＴ、１ＲＲに分割される。
【００１６】
又、第２光源２から出射した光線束は、無偏光ビームスプリッター１８ａの４面の内で第１光源１の光線束が入射した面と隣り合う別の面から入射し、無偏光ビームスプリッター面１９ａで、第２光源２の光線束の偏光状態に関わらず、ほぼ均等の強度で、透過光２Ｔと反射光２Ｒとに分割される。その後、透過光２Ｔは無偏光ビームスプリッター１８ｃに入射し、反射光２Ｒは無偏光ビームスプリッター１８ｂに入射し、それぞれほぼ均等な強度を持った４つの光（光源）２ＴＴ、２ＴＲ、２ＲＴ、２ＲＲに分割される。
【００１７】
同様にして、第３光源３の光線束は無偏光ビームスプリッター１８ｄに入射し、無偏光ビームスプリッター１８ｂ、１８ｃを介して、それぞれほぼ均等な強度を持った４つの光（光源）３ＴＴ、３ＴＲ、３ＲＴ、３ＲＲに分割される。又、第４光源４の光線束は、無偏光ビームスプリッター１８ｄの４面の内で第３光源３の光線束が入射した面とは別の隣の面から入射し、無偏光ビームスプリッター１８ｂ、１８ｃを介して、それぞれほぼ均等な強度を持った４つの光（光源）４ＴＴ、４ＴＲ、４ＲＴ、４ＲＲに分割される。
【００１８】
無偏光ビームスプリッター１８ｂからの出力は、一方の出射面から出た４つの光１ＴＲ、２ＲＲ、３ＲＴ、４ＴＴが合成されて成るミキシング光源出力１７ａ、及び、他方の出射面から出た４つの光１ＴＴ、２ＲＴ、３ＲＲ、４ＴＲが合成されて成るミキシング光源出力１７ｂとなる。
【００１９】
又、無偏光ビームスプリッター１８ｃからの出力は、一方の出射面から出た４つの光１ＲＴ、２ＴＴ、３ＴＲ、４ＲＲが合成されて成るミキシング光源出力１７ｃ、及び、他方の出射面から出た４つの光１ＲＲ、２ＴＲ、３ＴＴ、４ＲＴが合成されて成るミキシング光源出力１７ｄとなる。
【００２０】
以上の様にして、４つの光源１、２、３、４の出力は、それぞれが各光源１〜４の出力光のほぼ１／４ずつの強度成分を有する、４つのミキシング光源出力１７ａ、１７ｂ、１７ｃ、１７ｄに変換される。ここで、４つのミキシング光源出力１７ａ、１７ｂ、１７ｃ、１７ｄは、ほぼ同じ強度になっている。
【００２１】
尚、使用する光源１〜４としては、その出力光線が略平行化されていれば、レーザー光源、ＬＥＤ光源、水銀ランプ、メタルハライドランプ、キセノンランプ、ハロゲンランプなどの何れであっても良く、光源の種類は問われない。
【００２２】
ここで、例えば、元の第１光源１が点灯しなくなった場合を考える。このとき、４つのミキシング光源出力１７ａ、１７ｂ、１７ｃ、１７ｄはそれぞれ光源１の成分である光１ＴＲ、１ＴＴ、１ＲＴ、１ＲＲを失うが、当該光１ＴＲ、１ＴＴ、１ＲＴ、１ＲＲの強度はほぼ同じなので、４つのミキシング光源出力１７ａ、１７ｂ、１７ｃ、１７ｄの強度変化量、即ち、強度変化率はほぼ同じである。
【００２３】
同様にして、元の光源の明るさが急に暗くなったり、明るくなったり、又は色合いが変わったりしても、４つのミキシング光源出力１７ａ、１７ｂ、１７ｃ、１７ｄの強度変化率又は色度変化率はほぼ同じとなる。
【００２４】
以上の様にして作られた４つのミキシング光源出力１７ａ、１７ｂ、１７ｃ、１７ｄを、マルチビジョンを構成する各画面の表示装置２０ａ、２０ｂ、２０ｃ、２０ｄの光源として使用することにより、各画面の明るさ及び色度を最初に合わせておけば、その後に光源１〜４の何れかが点灯しなくなる場合や、明るさ、色が変化する場合が生じても、全画面は消えず、各画面の明るさ及び色が均等に変化し、画面間の輝度差及び色度差が発生しないという効果が得られる。
【００２５】
又、ここまでは１種類の光源が用いられる場合を説明したが、本実施の形態はその様な場合に限定されない。例えば、図３に、赤２９ａ〜２９ｄ、緑３０ａ〜３０ｄ、青３１ａ〜３１ｄの各色の光源を表示装置２０ａ〜２０ｄに使用する場合を示す。各色の光源から既述の通りに各色のミキシング光源出力１７ａ〜１７ｄを作った上で、各色のミキシング光源出力１７ａ〜１７ｄを各表示装置２０ａ〜２０ｄの光源光に使用しても良い。あるいは、各色の光源を合成して４つの白色光を作成した上で（例えば赤色の光２９ａ、緑の光３０ａ及び青色の光３１ａを合成して一つの白色光を作成する。）、これらの白色光を既述の通りに均等に分割・合成することにより、４つのミキシング光源出力を作っても、同等の作用・効果が得られる。
【００２６】
（実施の形態２）
図２は、２個の光源から、強度が均等な２個のミキシング光源出力を作る方法を示す図である。図２において、各光線が略平行化された第１光源１の光線束は無偏光ビームスプリッター１８に入射し、無偏光ビームスプリッター面１９で、光源１の偏光状態に関わらず、ほぼ均等の強度で、透過光１Ｔと反射光１Ｒとに分割される。
【００２７】
第２光源２の光線束は、無偏光ビームスプリッター１８の４面の内で第１光源１の光線束が入射した面と隣り合う別の面から入射し、無偏光ビームスプリッター面１９で、光源２の偏光状態に関わらず、ほぼ均等の強度で、透過光２Ｔと反射光２Ｒとに分割される。
【００２８】
以上の様に、透過光１Ｔと反射光２Ｒとで合成されたミキシング光源出力１７ｅと、反射光１Ｒと透過光２Ｔとで合成されたミキシング光源出力１７ｆが、２つの強度が均等なミキシング光源として得られ、これらのミキシング光源出力１７ｅ、１７ｆを２画面で構成されるマルチビジョンシステムの表示装置の光源として使用することで、１つの光源が点灯しなくなっても、全画面は消えず、且つ、画面間の輝度差及び色度差は発生しないという効果が得られる。
【００２９】
（実施の形態３）
図４は、８個の光源の光線束１〜８から、各光源の光線束の１／８の成分ずつを含む、強度が均等な８個のミキシング光源出力を作る方法を示す図である。
【００３０】
先ず、実施の形態２で示した方法により、光源光１と光源光２とからミキシング光源出力１７ａ、１７ｂを、光源光３と光源光４とからミキシング光源出力１７ｃ、１７ｄを、光源光５と光源光６とからミキシング光源出力１７ｅ、１７ｆを、光源光７と光源光８とからミキシング光源出力１７ｇ、１７ｈをという様に、２個ずつのミキシング光源出力を作る。
【００３１】
そうしてできた８個のミキシング光源出力１７ａ〜１７ｈを、実施の形態１で示した方法により、４個ずつ混ぜ合わせる。即ち、４個のミキシング光源出力１７ａ、１７ｃ、１７ｅ、１７ｇから、８個の光源の光線束１〜８まで１／８ずつの成分を持つ、４個の均等なミキシング光源出力１７ｎ、１７ｐ、１７ｑ、１７ｒが作られる。尚、図４では、図示の都合上、各ミキシング光源出力１７ｎ、１７ｐ、１７ｑ、１７ｒは４個の光線束を含む様に描かれているが、実際には、８個の光線束を含んでいる。この点は、後述のミキシング光源出力１７ｉ、１７ｊ、１７ｋ、１７ｍについても同様である。他方、４個のミキシング光源出力１７ｂ、１７ｄ、１７ｆ、１７ｈから８個の光源の光線束１〜８まで１／８ずつの成分を持つ、４個の均等なミキシング光源出力１７ｉ、１７ｊ、１７ｋ、１７ｍが作られる。この８個の強度が均等なミキシング光源出力１７ｉ、１７ｊ、１７ｋ、１７ｍ、１７ｎ、１７ｐ、１７ｑ、１７ｒをそれぞれ表示装置の光源として使用することで、８個の元の光源の内で１つの光源が点灯しなくなっても、全画面は消えず、且つ、画面間の輝度差及び色度差は発生しないという効果が得られる。
【００３２】
（実施の形態４）
図５は、１６個の光源の光線束１〜１６から、各光源の光線束の成分を１／１６ずつ含む１６個の強度が均等なミキシング光源出力を作る方法を示す図である。実施の形態１で示した方法を８個組み合せることで、１６個の光源光１から１６まで１／１６ずつの成分を持つ、１６個のミキシング光源出力１７ａ、１７ｂ、１７ｃ、１７ｄ、１７ｅ、１７ｆ、１７ｇ、１７ｈ、１７ｉ、１７ｊ、１７ｋ、１７ｍ、１７ｎ、１７ｐ、１７ｑ、１７ｒが作られる。尚、図５においても、厳密さは欠くが図示の都合上、各ミキシング光源出力１７ａ、１７ｂ、１７ｃ、１７ｄ、１７ｅ、１７ｆ、１７ｇ、１７ｈ、１７ｉ、１７ｊ、１７ｋ、１７ｍ、１７ｎ、１７ｐ、１７ｑ、１７ｒは４つの光線束を含むものとして描かれているが、実際には１６個の光線束を含んでいる。これらの１６個のミキシング光源出力１７ａ、１７ｂ、１７ｃ、１７ｄ、１７ｅ、１７ｆ、１７ｇ、１７ｈ、１７ｉ、１７ｊ、１７ｋ、１７ｍ、１７ｎ、１７ｐ、１７ｑ、１７ｒをそれぞれ表示装置の光源として使用することで、１６個の光源の内で何れかの光源が点灯しなくなっても、全画面は消えず、且つ、画面間の輝度差及び色度差は発生しないという効果が得られる。
【００３３】
以上の様に、実施の形態１〜４では、それぞれ、４個、２個、８個、１６個のミキシング光源出力を作成する方法を説明した。即ち、それらの方法を用いることで、一般的には、２のべき乗個のミキシング光源出力を作成することが可能である。又、画面数が２のべき乗個よりも少ないときには、その数の差分だけのミキシング光源出力を表示装置の光源として使用しないようにすれば良い。例えば、画面数が３個の場合には、実施の形態１の方法により４個のミキシング光源出力を作成しておいた上で、その内の３個のミキシング光源出力を表示装置の光源として使用すれば良い。この様に臨機応変に対応することで、本発明は様々な他の画面数のマルチビジョンシステムにも対応できる。又、無偏光ビームスプリッター１８はプリズム状の形態で記載されているが、プリズム形状に代えて、フィルター形状であっても構わない。
【００３４】
（実施の形態５）
図６、図７及び図８は、元の光源の数とミキシング光源出力の数とが異なる場合の使用方法を示した図である。
【００３５】
明るさが十分な光源や、点灯しなくなる可能性の低い光源を使う場合には、例えば、実施の形態１の構成では、元の光源を４個使う必要はなく、使用すべき元の光源の数は１個から３個までの何れであっても良い。図６は、元の光源の数が１個の場合を示しており、１個の元の光源の光線束１から４等分された４個の光源出力１７ａ〜１７ｄが得られる。図７は、元の光源の数が２個の場合を示しており、２個の元の光源の光線束１、２から４個のミキシング光源出力１７ａ〜１７ｄが得られる。更に、図８は、元の光源の数が３個の場合を示しており、３個の元の光源の光線束１〜３から４個のミキシング光源出力１７ａ〜１７ｄが得られる。こうして得られた光源出力又はミキシング光源出力１７ａ〜１７ｄを使用することにより、元の光源の数よりも数が多い複数の表示装置を点灯することが出来ると共に、元の光源の明るさや色が変わっても、画面間の輝度差、色度差が発生しないという効果が得られる。
【００３６】
特に、図７又は図８の場合には、２個の元の光源又は３個の元の光源の内の何れかの光源が点灯しなくなった場合に於いても、全画面は消えず、且つ、画面間の輝度差及び色度差は発生しないという効果が、実施の形態１〜４と同様に得られる。
【００３７】
（実施の形態６）
図９は、偏光ビームスプリッターを用いて４個の光源の光線束の均等分割・合成によるミキシング光源出力を生成する方法を示す図である。本実施の形態では、偏光ビームスプリッターと１／２波長板を使用して、４個の光源から出射した４５°直線偏光又は円偏光の光線束を各々均等に４等分し且つ均等に混ざり合わせることで、４個のミキシング光源出力を作り出し、これらのミキシング光源出力を４画面から成るマルチビジョンシステムの光源として使用する。
【００３８】
偏光ビームスプリッター２１ａ、２１ｂ、２１ｃ、２１ｄは、偏光ビームスプリッター面２２ａ、２２ｂ、２２ｃ、２２ｄを備え、同面に於いて、Ｐ偏光成分を透過させ、且つ、Ｓ偏光成分を反射させる。４個の光源光２４〜２７の内で、光源光２４、２５は、偏光ビームスプリッター面２２ａに対して、４５°直線偏光（この場合、電気ベクトル成分は均等であるため、直線偏光の状態にある光線束を強度が均等なＰ偏光成分及びＳ偏光成分に分割しうる。）、若しくは、円偏光の状態にて、偏光ビームスプリッター２１ａに入射する様に設定する。
【００３９】
４５°直線偏光若しくは円偏光の状態にて入射した光源光２４に関しては、偏光ビームスプリッター面２２ａによって、そのＰ偏光成分は透過光２４Ｐに、そのＳ偏光成分は反射光２４Ｓとなる。ここで、透過光２４Ｐと反射光２４Ｓの強度はほぼ同じとなる。同様にして、４５°直線偏光若しくは円偏光で入射した光源２５光は、透過光２５Ｐと反射光２５Ｓとに均等に分割される。
【００４０】
偏光ビームスプリッター２１ａからの出射後に合成された透過光２４Ｐと反射光２５Ｓとは、１／２波長板２３ａにより、その偏光方向を４５°回転された上で、偏光ビームスプリッター２１ｂに、それぞれ±４５°偏光の光２４Ｐ４５、２５Ｓ４５として入射し、それぞれ透過光２４Ｐ４５Ｐ、反射光２４Ｐ４５Ｓ、及び、透過光２５Ｓ４５Ｐ、反射光２５Ｓ４５Ｓとなる。
【００４１】
４５°直線偏光若しくは円偏光の状態にある光源光２６、２７についても、同様にしてそれぞれ均等に４等分され、結果的に、４５°直線偏光若しくは円偏光の状態にある４個の光源光２４〜２７が均等に混ざった４個のミキシング光源出力が得られる。
【００４２】
この４個のミキシング光源をそれぞれ表示装置の光源として使用することで、１つの光源が点灯しなくなっても、全画面は消えず、且つ、画面間の輝度差及び色度差が発生しないという効果が得られる。
【００４３】
尚、４個の光源の場合に限らず、上記実施の形態１〜５と同様の構成で、２のべき乗個のミキシング光源出力を生成することで、２〜１６個の光源にも本実施の形態の構成を適用出来る。
【００４４】
（実施の形態７）
図１０は、本実施の形態に係る、４５°直線偏光若しくは円偏光の状態にある４個の光源光２４〜２７の均等な分割・合成によりミキシング光源出力を生成する方法を示す図である。本実施の形態では、偏光ビームスプリッターと１／４波長板を使用して、４個の光源から出射した４５°直線偏光又は円偏光の状態にある光線束を各々均等に４等分割し且つ均等に混ざり合わせることで、４個のミキシング光源出力を作り出し、これらのミキシング光源出力を４画面から成るマルチビジョンシステムの光源として使用する。
【００４５】
本実施の形態は、実施の形態６に於ける１／２波長板２３ａ〜２３ｄを、１／４波長板２８ａ〜２８ｄに置き換えたものであり、Ｐ偏光、Ｓ偏光の光をそれぞれ１／４波長板２８ａ〜２８ｄによって円偏光の光に変換して、同様の作用を得て、光源の均等な分割、合成ミキシングが行われ、４個のミキシング光源出力が得られる。
【００４６】
この４個のミキシング光源出力をそれぞれ表示装置の光源として使用することで、１つの光源が点灯しなくなっても、全画面は消えず、且つ、画面間の輝度差及び色度差が発生しないという効果が得られる。
【００４７】
尚、４個の光源の場合に限らず、上記実施の形態１〜５と同様の構成で、２のべき乗個のミキシング光源出力を生成することで、２〜１６個の光源にも本実施の形態の構成を適用出来る。
【００４８】
（実施の形態８）
本実施の形態は、既述した実施の形態１〜７に於ける各光源として、レーザーを使用する場合について記載する。レーザー光源は一般的に偏光特性を持っており、偏光状態が偏っている。
【００４９】
実施の形態６、７に於いて偏光ビームスプリッターを使う場合には、バランス良く光源光を分割・合成するためには、レーザー光源のビームを４５°直線偏光もしくは円偏光の状態に整形して使用する必要がある。この変換のために、偏光変換素子等を使用するが、変換効率は０．８倍程度と悪い。
【００５０】
他方、実施の形態１〜５の場合には、無偏光ビームスプリッターを使用して、光源光の分割及び合成を行うため、レーザー光源のビームの偏光状態に関わらず、光源光は均等に分割・合成されるため、偏光変換素子が要らない。そのため、変換効率が高いという効果がある。
【００５１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００５２】
【図１】この発明の実施の形態１に係るマルチビジョンシステムの構成を示す図である。
【図２】無偏光ビームスプリッターの作用の説明、及び、この発明の実施の形態２の構成例を示す図である。
【図３】赤、緑、青の３色の光源を使用する場合の、実施の形態１に係るマルチビジョンシステムの構成を示す図である。
【図４】この発明の実施の形態３に係るマルチビジョンシステムの構成を示す図である。
【図５】この発明の実施の形態４に係るマルチビジョンシステムの構成を示す図である。
【図６】光源が１個の場合に於ける、この発明の実施の形態５に係るマルチビジョンシステムの構成を示す図である。
【図７】光源が２個の場合に於ける、この発明の実施の形態５に係るマルチビジョンシステムの構成を示す図である。
【図８】光源が３個の場合に於ける、この発明の実施の形態５に係るマルチビジョンシステムの構成を示す図である。
【図９】この発明の実施の形態６に係るマルチビジョンシステムの構成を示す図である。
【図１０】この発明の実施の形態７に係るマルチビジョンシステムの構成を示す図である。
【符号の説明】
【００５３】
１〜１６  光源、１７ａ〜１７ｒ  ミキシング光源出力、１８ａ〜１８ｄ  無偏光ビームスプリッター、１９ａ〜１９ｄ  無偏光ビームスプリッター面、２０ａ〜２０ｄ  表示装置、２１ａ〜２１ｄ  偏光ビームスプリッター、２２ａ〜２２ｄ  偏光ビームスプリッター面、２３ａ〜２３ｄ  １／２波長板、２４〜２７  ４５°直線偏光もしくは円偏光の光源、２８ａ〜２８ｄ  １／４波長板、２９ａ〜２９ｄ  赤色光源、３０ａ〜３０ｄ  緑色光源、３１ａ〜３１ｄ  青色光源。
【図１】
2008145735.tif 000003
【図２】
2008145735.tif 000004
【図３】
2008145735.tif 000005
【図４】
2008145735.tif 000006
【図５】
2008145735.tif 000007
【図６】
2008145735.tif 000008
【図７】
2008145735.tif 000009
【図８】
2008145735.tif 000010
【図９】
2008145735.tif 000011
【図１０】
2008145735.tif 000012